(57)【要約】【課題】共通の表示領域に２種類の画像が選択的に照光表示できる安価な表示装置と、選択的に照光表示される画像に応じて同じ入力信号を異なる用途に利用できる安価な入力表示装置と、選択的に照光表示される画像が操作者に応じて自動的に切り替えられる安価な車載用入力表示装置とを提供すること。【解決手段】導光板１，２を前後に重なり合うように配置し、前者の照光部１ａを照光させる第１ＬＥＤ３と後者の照光部２ａを照光させる第２ＬＥＤ４とが照光切替手段８によって選択的に発光できるようにした。第１導光板１の前面側にはタッチセンサ６が対向配置され、その入力操作者が焦電センサ１０，１１によって検出されると、複合制御手段９が照光切替手段８へ切替信号Ｓ２を出力する。この複合制御手段９はタッチセンサ６から入力検出信号Ｓ１が出力されると、ＬＥＤ３，４のいずれがオン状態であるかに応じて制御信号Ｓ５またはＳ６を生成する。【選択図】図２
2008058790.tif 000002
【特許請求の範囲】
【請求項１】
背面の一部に文字や図形を象る形状に粗面化された第１の照光部を有する第１導光板と、背面の一部に文字や図形を象る形状に粗面化された第２の照光部を有し、前面が前記第１導光板の背面と対向するように配置された第２導光板と、発光時に前記第１導光板内へ側方から光を供給して前記第１の照光部を照光させる第１発光体と、発光時に前記第２導光板内へ側方から光を供給して前記第２の照光部を照光させる第２発光体と、これら第１発光体と第２発光体のいずれか一方を選択的に発光させる切替制御が可能な照光切替手段とを備えたことを特徴とする表示装置。
【請求項２】
背面の一部に文字や図形を象る形状に粗面化された第１の照光部を有する第１導光板と、背面の一部に文字や図形を象る形状に粗面化された第２の照光部を有し、前面が前記第１導光板の背面と対向するように配置された第２導光板と、発光時に前記第１導光板内へ側方から光を供給して前記第１の照光部を照光させる第１発光体と、発光時に前記第２導光板内へ側方から光を供給して前記第２の照光部を照光させる第２発光体と、これら第１発光体と第２発光体のいずれか一方を選択的に発光させる切替制御が可能な照光切替手段と、前記第１の照光部と前記第２の照光部の照光状態に応じて異なる制御信号を外部機器に対して出力可能な複合制御手段と、前記第１導光板の近傍に配置されて入力操作時に前記複合制御手段に所定の信号を出力する入力手段とを備え、
前記第１の照光部が照光されているときには前記所定の信号に基づいて前記複合制御手段が第１の制御信号を出力し、前記第２の照光部が照光されているときには前記所定の信号に基づいて前記複合制御手段が第２の制御信号を出力するようにしたことを特徴とする入力表示装置。
【請求項３】
請求項２の記載において、前記入力手段が前記第１導光板の前面に対向配置された光透過性のタッチセンサであることを特徴とする入力表示装置。
【請求項４】
背面の一部に文字や図形を象る形状に粗面化された第１の照光部を有する第１導光板と、背面の一部に文字や図形を象る形状に粗面化された第２の照光部を有し、前面が前記第１導光板の背面と対向するように配置された第２導光板と、発光時に前記第１導光板内へ側方から光を供給して前記第１の照光部を照光させる第１発光体と、発光時に前記第２導光板内へ側方から光を供給して前記第２の照光部を照光させる第２発光体と、これら第１発光体と第２発光体のいずれか一方を選択的に発光させる切替制御が可能な照光切替手段と、この照光切替手段に対して前記切替制御を行わせる切替信号が出力可能であると共に、前記第１の照光部と前記第２の照光部の照光状態に応じて異なる制御信号を外部機器に対して出力可能な複合制御手段と、前記第１導光板の近傍に配置されて入力操作時に前記複合制御手段に所定の信号を出力する入力手段と、前記入力操作が運転席側から行われたか助手席側から行われたかを判定し、その判定結果を前記複合制御手段に出力する判定手段とを備え、
前記複合制御手段は前記判定結果に基づいて前記切替信号を生成し、かつ、前記第１発光体を発光させているときには前記複合制御手段が前記所定の信号に基づいて第１の制御信号を出力し、前記第２発光体を発光させているときには前記複合制御手段が前記所定の信号に基づいて第２の制御信号を出力するようにしたことを特徴とする車載用入力表示装置。
【請求項５】
請求項４の記載において、前記入力手段が前記第１導光板の前面に対向配置された光透過性のタッチセンサであることを特徴とする車載用入力表示装置。
【発明の詳細な説明】
【技術分野】
【０００１】
本発明は、導光板に文字や図形を象る照光部を設けて照光させるようにした表示装置と、この種の表示装置に照光表示される画像を見ながら入力操作が行えるようにした入力表示装置と、この種の入力表示装置を運転席側と助手席側のいずれからでも入力操作可能な位置に設置した車載用入力表示装置とに関する。
【背景技術】
【０００２】
例えば車載用電気機器の入力操作を行う場合、操作対象となる機器の種類や操作内容等を示す文字や図形が暗所でも明瞭に視認できるようになっていることが好ましいため、こうした文字や図形を象った画像を照光表示させることが多い。その場合、表示手段として高価な液晶表示装置を用いる必要はなく、例えば特許文献１に開示されているように、ＬＥＤ等の発光体を導光板と組み合わせた簡単な構成の表示装置を採用することができる。すなわち、導光板の背面の一部を文字や図形を象る所定形状に粗面化しておき、この導光板内へ側方からＬＥＤ等の光を導き入れると、粗面化領域で乱反射する光が前方へ出射される。また、この導光板の粗面化領域を包囲する壁面を鏡面化しておけば、粗面化領域以外の領域で反射された光はほとんど前方へ出射されることがない。したがって、この導光板を前方から見ると前記所定形状の粗面化領域が輝いて見えることになる。
【特許文献１】特開２００５−３７３４号公報（第３−６頁、図１）
【発明の開示】
【発明が解決しようとする課題】
【０００３】
前述した特許文献１には、複数枚重ねた導光板にそれぞれ異なる色の光を供給することによって表示画像を多色化するという技術が開示されているが、１区画の表示領域に照光表示される画像は１種類なので、限られたスペースに多種類の画像を照光表示できないという問題があった。すなわち、車載用の入力表示装置等においては、各種の操作機器や操作内容に対応できるように多種類の画像を照光表示可能であることが好ましいが、これら全種の画像を平面的に並べて配置させると、表示領域全体の占有スペースが不所望に増大してしまう。また、スペースファクタを改善するために液晶表示装置を使用すると、製造コストが大幅に上昇してしまう。
【０００４】
本発明は、このような従来技術の実情に鑑みてなされたもので、その第１の目的は、共通の表示領域に２種類の画像を選択的に照光表示できるようにした安価な表示装置を提供することにある。また、本発明の第２の目的は、選択的に照光表示される前記画像に応じて同じ入力信号を異なる用途に利用できるようにした安価な入力表示装置を提供することにある。また、本発明の第３の目的は、選択的に照光表示される前記画像が操作者に応じて自動的に切り替えられるようにした安価な車載用入力表示装置を提供することにある。
【課題を解決するための手段】
【０００５】
上記の第１の目的を達成するために、本発明の表示装置では、背面の一部に文字や図形を象る形状に粗面化された第１の照光部を有する第１導光板と、背面の一部に文字や図形を象る形状に粗面化された第２の照光部を有し、前面が前記第１導光板の背面と対向するように配置された第２導光板と、発光時に前記第１導光板内へ側方から光を供給して前記第１の照光部を照光させる第１発光体と、発光時に前記第２導光板内へ側方から光を供給して前記第２の照光部を照光させる第２発光体と、これら第１発光体と第２発光体のいずれか一方を選択的に発光させる切替制御が可能な照光切替手段とを備えるという構成にした。
【０００６】
このように第１導光板と第２導光板を前後に重なり合うように配置し、第１導光板の第１の照光部を照光させる第１発光体と第２導光板の第２の照光部を照光させる第２発光体とが照光切替手段によって選択的に発光できるようにしてあると、第１発光体を発光させたときには第１の照光部で乱反射した光が前方へ出射されるため、第１導光板の前面に第１の照光部が輝いて見える。また、第２発光体を発光させたときには第２の照光部で乱反射した光が前方へ出射されて第１導光板を板厚方向に通過するため、第１導光板の前面に第２の照光部が輝いて見える。したがって、かかる表示装置は、第１発光体と第２発光体のいずれかを発光させるかに応じて、第１導光板の前面に照光表示される画像を適宜切り替えることができる。また、導光板と発光体とを組み合わせた簡素な構造でよく、発光体の切替制御も単純な機構で実現できるため、かかる表示装置を安価に製造できる。
【０００７】
また、上記の第２の目的を達成するために、本発明の入力表示装置では、背面の一部に文字や図形を象る形状に粗面化された第１の照光部を有する第１導光板と、背面の一部に文字や図形を象る形状に粗面化された第２の照光部を有し、前面が前記第１導光板の背面と対向するように配置された第２導光板と、発光時に前記第１導光板内へ側方から光を供給して前記第１の照光部を照光させる第１発光体と、発光時に前記第２導光板内へ側方から光を供給して前記第２の照光部を照光させる第２発光体と、これら第１発光体と第２発光体のいずれか一方を選択的に発光させる切替制御が可能な照光切替手段と、前記第１の照光部と前記第２の照光部の照光状態に応じて異なる制御信号を外部機器に対して出力可能な複合制御手段と、前記第１導光板の近傍に配置されて入力操作時に前記複合制御手段に所定の信号を出力する入力手段とを備え、前記第１の照光部が照光されているときには前記所定の信号に基づいて前記複合制御手段が第１の制御信号を出力し、前記第２の照光部が照光されているときには前記所定の信号に基づいて前記複合制御手段が第２の制御信号を出力するという構成にした。
【０００８】
このように第１導光板と第２導光板を前後に重なり合うように配置し、第１導光板の第１の照光部を照光させる第１発光体と第２導光板の第２の照光部を照光させる第２発光体とが照光切替手段によって選択的に発光できるようにしてあると、第１導光板の前面に照光表示される画像を適宜切り替えることができる。そして、複合制御手段が入力信号に基づいて、第１の照光部が照光されているときには第１の制御信号を出力し、第２の照光部が照光されているときには第２の制御信号を出力するようにしてあることから、かかる入力表示装置は、選択的に照光表示される画像に応じて同じ入力信号を異なる用途に利用できる。また、かかる入力表示装置の表示機構は導光板と発光体とを組み合わせた簡素な構造であり、発光体の切替制御も単純な機構で実現できるため、安価に製造できる。なお、入力手段はキースイッチ等であってもよいが、入力手段が第１導光板の前面に対向配置された光透過性のタッチセンサであれば、スペースファクタおよび操作性が向上するため好ましい。
【０００９】
また、上記の第３の目的を達成するために、本発明の車載用入力表示装置では、背面の一部に文字や図形を象る形状に粗面化された第１の照光部を有する第１導光板と、背面の一部に文字や図形を象る形状に粗面化された第２の照光部を有し、前面が前記第１導光板の背面と対向するように配置された第２導光板と、発光時に前記第１導光板内へ側方から光を供給して前記第１の照光部を照光させる第１発光体と、発光時に前記第２導光板内へ側方から光を供給して前記第２の照光部を照光させる第２発光体と、これら第１発光体と第２発光体のいずれか一方を選択的に発光させる切替制御が可能な照光切替手段と、この照光切替手段に対して前記切替制御を行わせる切替信号が出力可能であると共に、前記第１の照光部と前記第２の照光部の照光状態に応じて異なる制御信号を外部機器に対して出力可能な複合制御手段と、前記第１導光板の近傍に配置されて入力操作時に前記複合制御手段に所定の信号を出力する入力手段と、前記入力操作が運転席側から行われたか助手席側から行われたかを判定し、その判定結果を前記複合制御手段に出力する判定手段とを備え、前記複合制御手段は前記判定結果に基づいて前記切替信号を生成し、かつ、前記第１発光体を発光させているときには前記複合制御手段が前記所定の信号に基づいて第１の制御信号を出力し、前記第２発光体を発光させているときには前記複合制御手段が前記所定の信号に基づいて第２の制御信号を出力するという構成にした。
【００１０】
このように第１導光板と第２導光板を前後に重なり合うように配置し、第１導光板の第１の照光部を照光させる第１発光体と第２導光板の第２の照光部を照光させる第２発光体とが照光切替手段によって選択的に発光できるようにしてあると、第１導光板の前面に照光表示される画像を適宜切り替えることができる。また、複合制御手段が入力信号に基づいて、第１の照光部が照光されているときには第１の制御信号を出力し、第２の照光部が照光されているときには第２の制御信号を出力するようにしてあると、選択的に照光表示される画像に応じて同じ入力信号を異なる用途に利用することができる。そして、入力操作が運転席側から行われたか助手席側から行われたかを判定手段で判定し、その判定結果に基づき複合制御手段が生成した切替信号によって発光体の切替制御が行われるようにしてあることから、かかる車載用入力表示装置は、照光表示される画像を操作者に応じて自動的に切り替えることができて使い勝手がよい。また、かかる車載用入力表示装置の表示機構は導光板と発光体とを組み合わせた簡素な構造であり、発光体の切替制御も単純な機構で実現できるため、安価に製造できる。なお、入力手段はキースイッチ等であってもよいが、入力手段が第１導光板の前面に対向配置された光透過性のタッチセンサであれば、スペースファクタおよび操作性が向上するため好ましい。
【発明の効果】
【００１１】
本発明の表示装置は、第１導光板と第２導光板を前後に重なり合うように配置し、第１導光板の第１の照光部を照光させる第１発光体と第２導光板の第２の照光部を照光させる第２発光体とが照光切替手段によって選択的に発光できるようにしてあるため、第１発光体と第２発光体のいずれかを発光させるかに応じて第１導光板の前面に照光表示される画像を切り替えることができる。また、導光板と発光体とを組み合わせた簡素な構造でよく、発光体の切替制御も単純な機構で実現できるため、かかる表示装置を安価に製造できる。
【００１２】
本発明の入力表示装置は、第１導光板と第２導光板を前後に重なり合うように配置し、第１導光板の第１の照光部を照光させる第１発光体と第２導光板の第２の照光部を照光させる第２発光体とが照光切替手段によって選択的に発光できるようにしてあるため、第１導光板の前面に照光表示される画像を適宜切り替えることができる。しかも、複合制御手段が入力信号に基づいて、第１の照光部が照光されているときには第１の制御信号を出力し、第２の照光部が照光されているときには第２の制御信号を出力するようにしてあるため、かかる入力表示装置は、選択的に照光表示される画像に応じて同じ入力信号を異なる用途に利用できる。また、かかる入力表示装置の表示機構は導光板と発光体とを組み合わせた簡素な構造であり、発光体の切替制御も単純な機構で実現できるため、安価に製造できる。
【００１３】
本発明の車載用入力表示装置は、第１導光板と第２導光板を前後に重なり合うように配置し、第１導光板の第１の照光部を照光させる第１発光体と第２導光板の第２の照光部を照光させる第２発光体とが照光切替手段によって選択的に発光できるようにしてあるため、第１導光板の前面に照光表示される画像を適宜切り替えることができる。また、複合制御手段が入力信号に基づいて、第１の照光部が照光されているときには第１の制御信号を出力し、第２の照光部が照光されているときには第２の制御信号を出力するようにしてあるため、選択的に照光表示される画像に応じて同じ入力信号を異なる用途に利用することができる。しかも、入力操作が運転席側から行われたか助手席側から行われたかを判定手段で判定し、その判定結果に基づき複合制御手段が生成した切替信号によって発光体の切替制御が行われるようにしてあるため、かかる車載用入力表示装置は、照光表示される画像を操作者に応じて自動的に切り替えることができて使い勝手がよい。また、かかる車載用入力表示装置の表示機構は導光板と発光体とを組み合わせた簡素な構造であり、発光体の切替制御も単純な機構で実現できるため、安価に製造できる。
【発明を実施するための最良の形態】
【００１４】
発明の実施の形態を図面を参照して説明すると、図１は本発明の実施形態例に係る車載用入力表示装置の設置場所を示す説明図、図２は該車載用入力表示装置の表示部と入力検出部の１ユニットを示す分解斜視図、図３は図２に対応する断面図、図４は該車載用入力表示装置の信号経路を示すブロック図、図５は図２に示す表示部の一動作状態を示す説明図、図６は図２に示す表示部の他の動作状態を示す説明図である。
【００１５】
本実施形態例に係る車載用入力表示装置は、表示部と入力検出部と制御部と操作者検出部とによって主に構成されている。図２と図３に示すように、表示部は第１導光板１と第２導光板２と第１ＬＥＤ３と第２ＬＥＤ４とからなる。また、入力検出部は保護プレート５に覆われた光透過性のタッチセンサ６からなり、このタッチセンサ６の背面側に第１および第２導光板１，２が配置される。なお、図２や図３では表示部と入力検出部の１ユニット分だけを図示しているが、実際には複数ユニットが集約されてメニュー操作部７を構成しており、このメニュー操作部７が図１に示すようにインストルメントパネル２０の中央部に設置されている。図４に示すように、制御部は照光切替手段８と複合制御手段９とからなり、この複合制御手段９には外部機器駆動回路や信号処理回路等が含まれている。操作者検出部は運転席側焦電センサ１０と助手席側焦電センサ１１とからなり、図１に示すように、これらの焦電センサ（焦電型赤外線センサ）１０，１１は運転席と助手席の間のコンソール３０に設置されている。
【００１６】
前記表示部の構成について詳しく説明すると、第１導光板１はアクリル樹脂等の透明材料からなり、その背面の一部が所定形状（例えば「ＣＤ」という文字形状）に粗面化されて第１の照光部１ａとなっており、第１の照光部１ａを包囲する壁面は鏡面化されている。第２導光板２もアクリル樹脂等の透明材料からなり、その背面の一部が前記所定形状とは異なる形状（例えば「ＤＶＤ」という文字形状）に粗面化されて第２の照光部２ａとなっており、第２の照光部２ａを包囲する壁面は鏡面化されている。これら両導光板１，２は互いに重なり合うように配置され、第１導光板１の背面が第２導光板２の前面と対向している。なお、両導光板１，２はタッチセンサ６の背面側に設置され、第１導光板１の前面がタッチセンサ６と対向している。図３に示すように、配線基板１２には第１発光体である第１ＬＥＤ３と第２発光体である第２ＬＥＤ４とが実装されており、これら第１ＬＥＤ３と第２ＬＥＤ４はそれぞれ第１導光板１の一側面と第２導光板２の一側面に近接させてある。第１ＬＥＤ３から出射された光は第１導光板１内へ側方から導入されて、粗面化領域である第１の照光部１ａにて乱反射される。同様に、第２ＬＥＤ４から出射された光は第２導光板２内へ側方から導入されて、粗面化領域である第２の照光部２ａにて乱反射される。これら第１ＬＥＤ３と第２ＬＥＤ４は前記照光切替手段８によって選択的に発光するように切替制御されるため、第１ＬＥＤ３がオンのときには第２ＬＥＤ４はオフに保たれており、第２ＬＥＤ４がオンのときには第１ＬＥＤ３はオフに保たれている。
【００１７】
前記入力検出部の構成について詳しく説明すると、保護プレート５はタッチセンサ６を保護する黒色透明板である。タッチセンサ６は、透明電極６ａ，６ｂ間の静電容量の変化に基づいて物体の存在を検出するというものであり、操作者の手指を保護プレート５に接触（タッチセンサ６に近接）させると該手指の存在が検出されて、タッチセンサ６から前記複合制御手段９へ入力検出信号Ｓ１（図４参照）が出力されるようになっている。
【００１８】
前記制御部の構成について詳しく説明すると、複合制御手段９は照光切替手段８に対して、第１ＬＥＤ３と第２ＬＥＤ４のいずれか一方をオンさせるかという切替信号Ｓ２（図４参照）を出力する。また、複合制御手段９には前記運転席側焦電センサ１０や前記助手席側焦電センサ１１から操作者検出信号Ｓ３，Ｓ４（図４参照）が供給され、この操作者検出信号Ｓ３，Ｓ４に基づいて切替信号Ｓ２を出力するようになっている。具体的には、運転席側焦電センサ１０から操作者検出信号Ｓ３が供給されたときには、複合制御手段９は照光切替手段８に対して第１ＬＥＤ３をオンさせるという切替信号Ｓ２を出力し、助手席側焦電センサ１１から操作者検出信号Ｓ４が供給されたときには、複合制御手段９は照光切替手段８に対して第２ＬＥＤ４をオンさせるという切替信号Ｓ２を出力する。そして、第１ＬＥＤ３がオン状態のときに複合制御手段９は第１の制御モードとなり、この第１の制御モードにおいてタッチセンサ６から入力検出信号Ｓ１が供給されると、複合制御手段９から外部機器に対して第１の制御信号Ｓ５（図４参照）が出力されるようになっている。また、第２ＬＥＤ４がオン状態のときに複合制御手段９は第２の制御モードとなり、この第２の制御モードにおいてタッチセンサ６から入力検出信号Ｓ１が供給されると、複合制御手段９から外部機器に対して第２の制御信号Ｓ６（図４参照）が出力されるようになっている。
【００１９】
前記操作者検出部の構成について詳しく説明すると、運転席側焦電センサ１０は、コンソール３０の運転席側の縁部に設置されており、この焦電センサ１０によって運転席とメニュー操作部７との間における物体の存在が検出可能である。それゆえ、運転者がメニュー操作部７に腕を伸ばすと運転席側焦電センサ１０がこれを検知して、操作者検出信号Ｓ３が複合制御手段９へ出力されるようになっている。また、助手席側焦電センサ１１は、コンソール３０の助手席側の縁部に設置されており、この焦電センサ１１によって助手席とメニュー操作部７との間における物体の存在が検出可能である。それゆえ、助手席の同乗者がメニュー操作部７に腕を伸ばすと助手席側焦電センサ１１がこれを検知して、操作者検出信号Ｓ４が複合制御手段９へ出力されるようになっている。
【００２０】
次に、このように構成された車載用入力表示装置の動作について説明する。運転者がメニュー操作部７に向かって腕を伸ばすと、運転席側焦電センサ１０がこれを検知して操作者検出信号Ｓ３を出力するため、複合制御手段９は照光切替手段８に対して第１ＬＥＤ３をオンさせるという切替信号Ｓ２を出力する。その結果、図５（ａ）に示すように、第１ＬＥＤ３の光が第１導光板１内へ側方から導入されて第１の照光部１ａで乱反射されるため、図５（ｂ）に示すように、該照光部１ａから前方へ出射されて第１導光板１を板厚方向に通過した光が第１導光板１の前面に所定形状（例えば「ＣＤ」という文字形状）に輝いて見える。すなわち、第１導光板１の前方の保護プレート５に第１の照光部１ａに相当する画像が照光表示されることになり、この画像によって操作対象や操作内容を暗所においても明瞭に視認することができる。また、こうして第１ＬＥＤ３がオン状態に切り替わると、複合制御手段９は第１の制御モードとなるため、運転者が第１導光板１の前方の保護プレート５に手指を触れてタッチセンサ６から複合制御手段９へ入力検出信号Ｓ１が出力されると、この複合制御手段９は外部機器に対して第１の制御信号Ｓ５を出力して、例えばＣＤプレーヤを駆動させる。
【００２１】
しかるに、助手席の同乗者がメニュー操作部７に腕を伸ばした場合には、助手席側焦電センサ１１がこれを検知して操作者検出信号Ｓ４を出力するため、複合制御手段９は照光切替手段８に対して第２ＬＥＤ４をオンさせるという切替信号Ｓ２を出力する。その結果、図６（ａ）に示すように、第２ＬＥＤ４の光が第２導光板２内へ側方から導入されて第２の照光部２ａで乱反射されるため、図６（ｂ）に示すように、該照光部２ａから前方へ出射されて両導光板１，２を板厚方向に通過した光が第１導光板１の前面に前記所定形状とは異なる形状（例えば「ＤＶＤ」という文字形状）に輝いて見える。すなわち、第１導光板１の前方の保護プレート５に第２の照光部２ａに相当する画像が照光表示されることになり、この画像によって操作対象や操作内容を暗所においても明瞭に視認することができる。また、こうして第２ＬＥＤ４がオン状態に切り替わると、複合制御手段９は第２の制御モードとなるため、助手席の同乗者が第１導光板１の前方の保護プレート５に手指を触れてタッチセンサ６から複合制御手段９へ入力検出信号Ｓ１が出力されると、この複合制御手段９は外部機器に対して第２の制御信号Ｓ６を出力して、例えばＤＶＤプレーヤを駆動させる。
【００２２】
なお、運転席側焦電センサ１０と助手席側焦電センサ１１のいずれからも操作者検出信号が出力されていなければ、第１ＬＥＤ３と第２ＬＥＤ４はどちらもオンされないため照光表示はなされず、よって黒色透明板からなる保護プレート５は全面が暗い状態に保たれている。
【００２３】
このように本実施形態例に係る車載用入力表示装置の表示部は、第１導光板１と第２導光板２を前後に重なり合うように配置し、第１の照光部１ａを照光させる第１ＬＥＤ３と第２の照光部２ａを照光させる第２ＬＥＤ４とが照光切替手段８によって選択的に発光できるようにしてあるため、ＬＥＤ３，４のいずれを発光させるかに応じて、第１導光板１の前面に照光表示される画像を適宜切り替えることができる。つまり、共通の表示領域に２種類の画像（例えば「ＣＤ」または「ＤＶＤ」という文字形状）を選択的に照光表示させることができる。それゆえ、この表示部は、メニュー操作部７内に多種類の画像を照光表示させることが可能で、スペースファクタが良好である。しかも、この表示部は、２枚の導光板１，２にＬＥＤ３，４を組み合わせた簡素な構造であり、ＬＥＤ３，４の切替制御も単純な機構で実現できるため、安価に製造できる。
【００２４】
また、本実施形態例に係る車載用入力表示装置では、入力手段として第１導光板１の前面を覆う光透過性のタッチセンサ６を用いており、操作者がメニュー操作部７内の表示領域に手指を接触（または近接させる）ことによって、照光表示されている画像に対応した入力操作が行えるようになっている。つまり、タッチセンサ６からの入力検出信号Ｓ１に基づき複合制御手段９は外部機器に対して制御信号を出力するが、第１ＬＥＤ３と第２ＬＥＤ４のいずれがオン状態であるかに応じて複合制御手段９の制御モードは異なり、第１の制御モードのときには入力検出信号Ｓ１から第１の制御信号Ｓ５が生成され、第２の制御モードのときには入力検出信号Ｓ１から第２の制御信号Ｓ６が生成されるようになっている。このように同じ入力検出信号Ｓ１が選択的に照光表示される画像に応じて異なる用途に利用できるようになっていると、入力部の数が大幅に低減できるため、スペースファクタおよび操作性が良好となる。なお、本実施形態例では静電容量方式のタッチセンサを用いているが、光学式や抵抗式等の他の検出方式のタッチセンサを用いてもよい。
【００２５】
また、本実施形態例に係る車載用入力表示装置では、入力操作が運転席側から行われたか助手席側から行われたかを焦電センサ１０，１１によって判定し、その判定結果（操作者検出信号Ｓ３，Ｓ４）に基づいて複合制御手段９が照光切替手段８へ切替信号Ｓ２を出力するようになっている。つまり、照光表示される画像が操作者に応じて自動的に切り替えられるようになっており、例えば運転者が入力操作したときには、運転者ににとって明らかに不要な表示画像を予めメニュー操作部７から取り除いておくことができる。そのため、この車載用入力表示装置は使い勝手がよい。
【００２６】
なお、上記実施形態例では、入力手段としてタッチセンサ６を用いているが、第１導光板１の周縁近傍に設置したキースイッチ等によって入力操作を行う構成にしてもよい。ただし、スペースファクタや操作性を考慮すると、入力手段はタッチセンサであったほうがよい。
【００２７】
また、上記実施形態例では、運転席側焦電センサ１０と助手席側焦電センサ１１を併用しているが、通常は第１ＬＥＤ３をオン（第２ＬＥＤ４はオフ）させておき、操作者検出信号Ｓ４が出力されたときだけ第２ＬＥＤ４をオン（第１ＬＥＤ３はオフ）させるのであれば、運転席側焦電センサ１０を省略した構成にしてもよい。
【図面の簡単な説明】
【００２８】
【図１】本発明の実施形態例に係る車載用入力表示装置の設置場所を示す説明図である。
【図２】該車載用入力表示装置の表示部と入力検出部の１ユニットを示す分解斜視図である。
【図３】図２に対応する断面図である。
【図４】該車載用入力表示装置の信号経路を示すブロック図である。
【図５】図２に示す表示部の一動作状態を示す説明図である。
【図６】図２に示す表示部の他の動作状態を示す説明図である。
【符号の説明】
【００２９】
１  第１導光板
１ａ  第１の照光部
２  第２導光板
２ａ  第２の照光部
３  第１ＬＥＤ（第１発光体）
４  第２ＬＥＤ（第２発光体）
５  保護プレート
６  タッチセンサ（入力手段）
７  メニュー操作部
８  照光切替手段
９  複合制御手段
１０  運転席側焦電センサ（判定手段）
１１  助手席側焦電センサ（判定手段）
Ｓ１  入力検出信号
Ｓ２  切替信号
Ｓ３，Ｓ４  操作者検出信号
Ｓ５  第１の制御信号
Ｓ６  第２の制御信号
【図１】
2008058790.tif 000003
【図２】
2008058790.tif 000004
【図３】
2008058790.tif 000005
【図４】
2008058790.tif 000006
【図５】
2008058790.tif 000007
【図６】
2008058790.tif 000008